(57)【特許請求の範囲】
【請求項１】
複数の脚柱を互いに連結して形成した胴部の上下部に、配線類の導入口または差込口を備えた上板と、機器類を支持しうる支持板とを設け、前記脚柱に、隣接する脚柱間を閉塞する保護カバーを着脱自在に設け、かつ、上板の中央から垂下する吊杆の下部に、配線類の巻取部を形成し、前記吊杆を筒体により形成し、筒体内に、上板より上方に配設した天板を支持する支杆を嵌合したことを特徴とする配線ターミナル装置。
【請求項２】
天板の下面から垂下する支杆を、吊杆内に上下移動可能として嵌挿した請求項１記載の配線ターミナル装置。
【発明の詳細な説明】
【０００１】
【発明の属する技術分野】
本発明は、給電線、電話線、コンピュータ用の信号線等の配線の収容及び接続等を図るための配線ターミナル装置に関する。
【０００２】
【従来の技術】
従来、デスク上の情報機器類の配線機能を備えた机や、机、テーブル等の脇に設置してデスク上の情報機器類への配線を行う配線ボックス等は知られている。
【０００３】
【発明が解決しようとする課題】
しかし、前者ではそれぞれの机が配線機能を備えていなければならず、後者では配線機能がない机、テーブル等に併せて使用することにより情報機器への配線を行うに便であるが、多くの配線類を収容する場合、配線が交錯して乱雑となりかつ配線替えが簡単にできず、しかも配線ボックス自体の安定性が悪い等の問題があった。
【０００４】
本発明は、従来の技術が有する上記のような問題点に鑑み、机やテーブル等と併せて設置するか、または独立して設置して、情報機器類の多種類の配線等を、互いに交錯することなく、整然と、かつ体裁よく収容しうるようにした配線ターミナル装置を提供することにある。
【０００５】
【課題を解決するための手段】
本発明によると、上記課題は、次のようにして解決される。
(１)  複数の脚柱を互いに連結して形成した胴部の上下部に、配線類の導入口または差込口を備えた上板と、機器類を支持しうる支持板とを設け、前記脚柱に、隣接する脚柱間を閉塞する保護カバーを着脱自在に設け、かつ、上板の中央から垂下する吊杆の下部に、配線類の巻取部を形成し、前記吊杆を筒体により形成し、筒体内に、上板より上方に配設した天板を支持する支杆を嵌合する。
【０００６】
(２)  上記(１)項において、天板の下面から垂下する支杆を、吊杆内に上下移動可能として嵌挿する。
【０００７】
【発明の実施の形態】
図１は、本発明の一実施形態の平面図であり、図２は、その正面図である。この配線ターミナル装置は、４本の脚柱(１)を有し、相隣る脚柱(１)間には円弧状の保護カバー(２)が着脱自在に取り付けられ、全体でおおよそ円筒形の胴部(３)を形成している。
【０００８】
脚柱(１)の下端には、キャスター(４)付きの脚(５)が設けられているが、所望によってはキャスターとせず、固定脚としてもよい。
【０００９】
胴部(３)の上方には、下面中央に支杆(７)が固着された円形の天板(６)が配設されている。
【００１０】
図３及び図４は、胴部(３)内の詳細構造を示す図である。これらの図に示されているように、４本の脚柱(１)は、その上部において、対向するもの同士を交叉梁(８)により連結され、その下部において、隣接するもの同士を横梁(９)により連結され、強固な構造体を形成している。
【００１１】
上部の交叉梁(８)が交叉する中央には、上下方向に延びる中空の角筒体からなる吊杆(10)が固着されている。吊杆(10)は、その中空の内部に、天板(６)を支持する支杆(７)が上下移動可能として嵌挿されている。
【００１２】
上部の交叉梁(８)の上面には、浅い有底円筒状に成形された上板(11)が取り付けられており、下部の横梁(９)の上面には、支持板(12)が固着されている。上板(11)には、情報機器の配線等のための４個の導入口(13)が設けられている。このいずれかの導入口(13)に、電源用コンセント(13a)、電話線用接続プラグ（図示略）、または信号線用のケーブルコネクタ（図示略）等を装着することにより、差込口(13b)とすることもある。
【００１３】
上板(11)より垂下する吊杆(10)の下部すなわち交叉梁(８)の下方で横梁(９)の上方の部分の両側面には、丸棒を平面視及び側面視においてコ字状に折り曲げて形成した配線類の巻取部(14)がそれぞれ固着されている。
【００１４】
相隣る脚柱(１)間に取り外し可能に取り付けられる保護カバー(２)は、図５に示すような横断面円弧状のパンチングメタルで、その上端両側部には、上方に延びるピン(15)が固着されており、その下端中央には、内方に延びるねじ孔付き突片(16)が取り付けられている。
【００１５】
脚柱(１)の上端には、図６に詳細に示すように耳片(17)付きのキャップ(18)が取り付けられており、耳片(17)に穿設された孔(17a)に、保護カバー(２)のピン(15)が下方から挿入される。
【００１６】
他方、下部の横梁(９)の中央には、外方に張り出す支持片(19)が固着されており、この支持片(19)に穿設した通孔から雄ねじ(20)を挿入して、突片(16)のねじ孔に螺合することにより、保護カバー(２)は簡単かつ強固に胴部(３)に固定される。
【００１７】
なお、保護カバー(２)は、その一側部を一方の脚柱(１)に蝶着し、他側部に設けた係止レバー（図示略）を、他方の脚柱(１)に係止させて、開閉扉としてもよい。
【００１８】
この配線ターミナル装置の使用に当たっては、任意の保護カバー(２)を外した状態において、胴部(３)の内部の支持板(12)上に、必要な機器類(21)を配置し、近くに配設したデスク上の情報機器の配線を胴部(３)の上端と天板(６)との隙間から、上板(11)の導入口(13)に通して、胴部(３)内の機器類(21)に接続する。この際、余分に長い配線やケーブルは、巻取部(14)に巻き付けておく。最後に、保護カバー(２)の上端のピン(15)を、孔(17a)に差し入れ、下端の突片(16)を、雄ねじ(20)により支持片(19)にねじ止めすることにより、保護カバー(２)を取り付ける。
【００１９】
また、デスク上、または天板(６)上に載置した情報機器の電源コードや電話線のプラグを、導入口(13)に装着したコンセント(13a)の差込口(13b)やプラグ等に接続して、情報機器を使用することもできる。
【００２０】
【発明の効果】
請求項１記載の発明によると、情報機器類の多種類の配線等を互いに交錯することなく、整然と体裁よく収容することができるとともに、使い勝手がよく、しかも安定した配線ターミナル装置とすることができる。
【００２１】
さらに、天板を安定して支持することができるとともに、この天板上に情報機器や書類等を載置して、便利に使用することができる。
【００２２】
請求項２記載の発明によれば、天板を上げることにより、保護カバーを外さないでも、簡単な配線を行うことができる。
【図面の簡単な説明】
【図１】  本発明の一実施形態の平面図である。
【図２】  同じく、正面図である。
【図３】  同じく、その胴部の拡大横断平面図である。
【図４】  同じく、その胴部の拡大縦断正面図である。
【図５】  同じく、その保護カバーの斜視図である。
【図６】  同じく、保護カバーの上端における取付機構を示す拡大分解斜視図である。
【図７】  同じく、保護カバーの下端における取付機構を示す拡大部分斜視図である。
【符号の説明】
(１)脚柱
(２)保護カバー
(３)胴部
(４)キャスター
(５)脚
(６)天板
(７)支杆
(８)交叉梁
(９)横梁
(10)吊杆
(11)上板
(12)支持板
(13)導入口
(13a)電源用コンセント
(13b)差込口
(14)巻取部
(15)ピン
(16)突片
(17)耳片
(17a)孔
(18)キャップ
(19)支持片
(20)雄ねじ
(21)機器類
【図１】
0004504545.tif 000002
【図２】
0004504545.tif 000003
【図３】
0004504545.tif 000004
【図４】
0004504545.tif 000005
【図５】
0004504545.tif 000006
【図６】
0004504545.tif 000007
【図７】
0004504545.tif 000008